(57)【要約】【課題】釣糸挿通操作を円滑化すると共に、竿体内部に溜まりやすい水の排水にも配慮した中通し竿を提供する。【解決手段】この中通し竿の元竿１の穂先側端部内周面には嵌合雌部１ａが形成され、穂先側端部から一定の軸方向距離を隔てた位置の周面に釣糸を竿体内部に導入するための釣糸導入口１１が形成されている。また、嵌合雌部１ａの竿元側で且つ釣糸導入口１１と周方向に於いて合致する位置に開口１０が形成されている。一方、元上竿２は、元竿１の穂先側に振出形式に連結されている。【選択図】　　　図２
2004129526.tif 000002
【特許請求の範囲】
【請求項１】
リールからの釣糸を内部に挿通させる中通し竿であって、
穂先側端部内周面に第１嵌着面が形成され、穂先側端部から一定の軸方向距離を隔てた位置の周面に釣糸を竿体内部に導入するための釣糸導入口が形成されており，また，前記嵌着面の竿元側で且つ前記釣糸導入口と周方向に於いて合致する位置に開口が形成されている第１竿体と、
前記第１竿体の穂先側に振出形式に連結され、前記第１竿体の第１嵌着面に嵌着可能な第２嵌着面が竿元側端部外周面に形成されている第２竿体と
を備える中通し竿。
【請求項２】
前記開口の周縁には保護リングが装着されている、請求項１に記載の中通し竿。
【発明の詳細な説明】
【０００１】
【発明の属する技術分野】
本発明は、リールからの釣糸を内部に挿通可能な釣糸通路を有する中通し竿に関する。
【０００２】
【従来の技術】
魚釣りに用いる釣竿の中には、竿体外周面に装着するリールからの釣糸を竿体内部に挿通させるタイプの中通し竿と呼ばれるものがある。一般に、中通し竿は、内部に釣糸を挿通可能な釣糸通路を有する元竿と、元竿に脱着自在に固定されたリールと、前記リールの穂先側の竿体外周面に形成された釣糸導入口とを有している。このような中通し竿では、リールからの釣糸を釣糸導入口より釣糸通路に導入し、順次穂先側の竿体内へ導き、穂先竿の先端のトップガイドより外部に釣糸を導出する。
【０００３】
中通し竿は、いわゆる外通し竿に比べて釣糸が竿体外部を通過する部分が少ないので釣糸が風の影響を受けにくく、また、外通し竿に生じ易い釣糸ガイドへの糸絡み等が防止できるメリットがある。そして、このような効果をさらに向上させるために、釣糸が竿体外部を通る範囲である「リールから釣糸導入口までの距離」を小さくするために、釣糸導入口を竿体の穂先側から竿元側に移動させ若しくは移動させ得る中通し竿も考えられてきた（例えば、特許文献１参照）。
【０００４】
しかし、リールから釣糸導入口までの距離を小さくするために、釣糸導入口をリールシートに近づけて竿元側に移動させると、以下のように、釣糸挿通操作が困難になる。即ち、中通し竿では、釣糸を係止した金属ワイヤからなる糸通し具を釣糸導入口より竿体内へ送り込んで釣糸を穂先側に挿通させる（「釣糸挿通操作」という）。この際、例えば（釣糸導入口が元竿に形成されている場合）、穂先側端部より竿元側に釣糸導入口が偏っている元竿の釣糸導入口から糸通し具を挿通しても、元竿とその穂先側に連結される元上竿との連結部分の内径の段差に糸通し具が突っ掛かってしまうことが多くなる。さらに、元上竿の穂先側にさらに別の中竿などが連結されている場合、これらの竿体への糸通し具の挿通も煩雑になる。
【０００５】
また、中通し竿では、釣糸に付着した水が釣糸と共に竿体内部に入り込み、竿体内部に溜まってしまうこともある。このような水は竿体の重量化・釣糸の抵抗増大等の問題を引き起こすので、その排水も中通し竿に於ける重要な問題である。このような問題点を鑑み、連結部分に排水溝を設けた中通し竿も考えられているが（特許文献２参照）、必ずしも十分なものではない。
【０００６】
【特許文献１】
特開平７−１９４２７６（図１）
【０００７】
【特許文献２】
特開２００２−２０９４９７号公報（第３欄，図２）
【０００８】
【発明が解決しようとする課題】
本発明の課題は、釣糸挿通操作を円滑化すると共に、竿体内部に溜まりやすい水の排水にも配慮した中通し竿を提供することにある。
【０００９】
【課題を解決するための手段】
発明１の中通し竿は、リールからの釣糸を内部に挿通させる中通し竿であって、穂先側端部内周面に第１嵌着面が形成され、穂先側端部から一定の軸方向距離を隔てた位置の周面に釣糸を竿体内部に導入するための釣糸導入口が形成されており、また、嵌着面の竿元側に且つ釣糸導入口と周方向に於いて合致する位置に開口が形成されている第１竿体と、第１竿体の穂先側に振出形式に連結され、第１竿体の第１嵌着面に嵌着可能な第２嵌着面が竿元側端部外周面に形成されている第２竿体とを備える。
【００１０】
この中通し竿では、竿元側の竿体の周面に装着されるリールからの釣糸は、第１竿体の釣糸導入口から第１竿体の内部に導かれる。そして、順次穂先側の竿体へと釣糸は各竿体の内部を挿通する。この第１竿体の釣糸導入口は穂先側端部から竿元側に一定の距離を隔てて形成されて竿元側のリールシートに近づけられており、風の影響等を受けにくくなっている。
【００１１】
この中通し竿は、例えば、スピニングリールを用いる場合には、リールを装着するシート及び釣糸導入口が地面側を向いた状態で用いられる。釣糸をリールに巻き取り釣糸と共にこれに付着した水が竿体内部に入り込んでも、地面側を向いている第１竿体の釣糸導入口及び開口から水が良好に排水される。また、釣糸挿通操作の際には、釣糸導入口から挿入した糸通し具の先端の動きを開口から認識でき、糸通し具を円滑に第１竿体から第２竿体内等へと挿入して釣糸挿通操作を行うことができる。
【００１２】
発明２の中通し竿は、発明１の中通し竿であり、開口の周縁には保護リングが装着されている。この中通し竿では保護リングが開口の形成に伴う竿体の強度低下を防止している。
【００１３】
【発明の実施の形態】
［第１実施形態］
以下、本発明の第１実施形態について図面を参照しつつ説明する。
本発明の第１実施形態を採用した中通し竿は、図１に示すように、元竿１と、元竿１の穂先側に連結された元上竿２と元上竿２の穂先側に連結された中竿３，中竿３の穂先側に連結された穂先竿４とから構成される。これら元竿１〜穂先竿４は炭素繊維またはガラス繊維等に合成樹脂を含浸させたプリプレグから形成される先細り筒状部材であって、内部に釣糸通路を有する。そして、元上竿２〜穂先竿４は穂先側から順次竿元側の竿体の内部に挿入され出し入れ自在になっており、いわゆる振出形式で連結されている。
【００１４】
元竿１は、最も竿元側に位置する太径の竿体である。穂先側端部内周面は振出形式に元上竿２が穂先側に連結されるための嵌着雌部１ａとなっている（図２参照）。軸方向の中央付近よりやや竿元側の外周面にリール（図示せず）を脱着自在に装着可能なリールシート５が設けられており、竿元側端部には尻栓６が脱着自在に装着されている。また、リールシート５の穂先側に隣接する周面にはグリップ７が装着されている。
【００１５】
リールシート５は、リールの脚部を載置するための載置面，その脚部の一部を覆う固定フード及びナット式に周方向に回転しながら軸方向にスライド移動する移動フードとを有し、固定フードと移動フードとでリールの脚部を挟み込んで固定する部分である。尻栓６はボルト部分を有する栓部材であり元竿１の竿元側端部に脱着自在に螺着している。グリップ７はＥＶＡやポリウレタン，コルク等の部材からなる略円筒型部材であり元竿１の周面に接着剤等で接着されている。
【００１６】
また、元竿１には、嵌合雌部１ａの竿元側に隣接する位置に開口１０が形成され、且つ、嵌合雌部１ａから軸方向に一定距離だけ間隔を隔てた位置に釣糸導入口１１が形成されている。開口１０及び釣糸導入口１１はその周方向位置が合致するように形成されており、その周方向位置は上述のリールシート５の載置面にも合致するように設定される。開口１０の形状は真円若しくは元竿１の軸方向を長径とする楕円型であり、釣糸導入口１１は元竿１の軸方向を長径とする楕円型である。開口１０と釣糸導入口１１との軸方向の距離は１００ｍｍ以上離れている。また、開口１０及び釣糸導入口１１にはそれぞれその口形に合致して形成されたセラミックス等の硬質部材からなるリング１２，１３が装着されている。これらのリングは竿体に口を形成することに伴う強度低下を防止し、若しくは釣糸と口周縁との直接の接触を回避する。
【００１７】
さらに、元竿１の釣糸導入口１１には釣糸導入ガイド１４が装着されている。釣糸導入ガイド１４は釣糸導入口１１を軸方向において跨ぐように元竿１の周面に装着された金属または硬質合成樹脂等からなる部材である。釣糸導入ガイド１４は釣糸導入口１１の穂先側及び竿元側においてそれぞれ巻糸等で元竿１の周面に固定されている。この釣糸導入ガイド１４はセラミックスなどからなるガイドリングを有しており、このガイドリングを介してリールからの釣糸を円滑に釣糸導入口１１へと導く。
【００１８】
元上竿２は元竿１より小径の先細りテーパの施された筒状体である。竿元側端部の外径が部分的に大径化して嵌合雄部２ａとなっている。そして、元竿１の穂先側に振出形式に連結され、嵌合雄部２ａと上述の嵌合雌部１ａとが嵌着する。竿元側端部には底栓１５を装着してもよい。この底栓１５は軸方向に貫通する貫通路を有する栓部材であり、元上竿２の竿元側端部に脱着自在に螺着している。
【００１９】
中竿３，穂先竿４も元上竿２と同様の先細り筒状の竿体であり、振出形式に連結するための嵌合雄部・嵌合雌部も同様に必要な部分に形成される。さらに、穂先竿４の穂先側端部にはトップガイド１６が装着されている。
この中通し竿での釣糸挿通操作は、以下のようなものとなる。
まず、元竿１の穂先側に元上竿２のみを延伸させて、穂先竿４・中竿３は元上竿２内に収納されている状態とする。そして、図２に示すように、糸通し具１００を釣糸導入口１１から元竿１内に挿入する。糸通し具１００は金属ワイヤの一端にキャップを，他端に釣糸を係止するためのリングが装着された部材である。このリングに釣糸を係止し、キャップから順次元竿１内に糸通し具１００を導入する。糸通し具１００を元竿１内で穂先側に順次送り込み、釣人は開口１０から元竿１と元上竿２との連結部分の竿体内部を目視しながら、キャップを底栓１５内に送り込み、さらに、中竿３．穂先竿４へとキャップを送り込む。そして、穂先竿４の穂先側から糸通し具１００を引き出して、釣糸を各竿体内部に挿通させる。このように、開口１０から元竿１内を認識しながら、円滑に釣糸挿通操作を行うことができる。
【００２０】
また、リールシート５にスピニングリールを装着して釣りを行う際には、リールシート５及びこれと周方向に一致する開口１０，釣糸導入口１１を地面方向に向けて、釣人は釣りを行うことになる。釣糸をリールに巻き取り釣糸と共にトップガイド１６側から水が各竿体内部に入り込むと、水は順次手元側の竿体内へと流れ、地面方向に向いている元竿１の開口１０や釣糸導入口１１から外部に円滑に排水される。
【００２１】
なお、この実施形態では、中通し竿を構成する竿体の本数を４本，釣糸導入口１１が元竿１に設けられている場合を例示しているが、これに限定されるものではない。中通し竿を構成する竿体の本数は任意に設定可能である。また、釣糸導入口は元竿１以外の元上竿２などに形成することもできる。この場合、開口１０も元上竿２の穂先側に形成することになる。
【００２２】
［他の実施形態］
上記実施形態では開口１０を１つのみ形成しているが、この開口１０は複数個形成することもできる。例えば、図４に示すように、開口１０を釣糸導入口１１と周方向に於いて合致する位置に軸方向に間隔を隔てて並べて形成する。何れの開口１０からも水が排水され、水の排水が円滑になる。また、元竿１内がより外部より認識し易くなる。
【００２３】
また、図５に示すように、開口１０を釣糸導入口１１と周方向において合致する位置と周方向に１８０度変位する位置とに２カ所形成してもよい。スピニングリール，両軸リールの何れを用いた場合であっても、竿体内部に溜まる水の排水を円滑に行うことができる。
【００２４】
【発明の効果】
本発明に係る中通し竿では、釣糸導入口の形成位置に関わらず釣糸挿通操作を円滑に為し得る。また、内部に溜まった水を容易に排水できる。
【図面の簡単な説明】
【図１】本発明の第１実施形態を採用した中通し竿の全体図。
【図２】図１の元竿１と元上竿２との連結部分付近を示した図。
【図３】図２の参考図。
【図４】本発明の他の実施形態を示した図。
【図５】本発明のさらに他の実施形態を示した図。
【符号の説明】
１　元竿
２　元上竿
１０　開口
１１　釣糸導入口
１００　糸通し具
【図１】
2004129526.tif 000003
【図２】
2004129526.tif 000004
【図３】
2004129526.tif 000005
【図４】
2004129526.tif 000006
【図５】
2004129526.tif 000007